(57)【要約】【課題】アナログテレビ放送映像信号の内容とは無関係な字幕を気軽に既存のアナログテレビ画面に表示することが可能な極めて実用性に優れた字幕合成制御装置の提供。【解決手段】上下に黒色の帯状領域が設けられるレターボックス形式のアナログテレビ放送映像信号の前記帯状領域に文字映像信号を重ね合成する字幕合成装置に設けられ、文字映像信号の重ね合成を行うか否かを制御する字幕合成制御装置であって、アナログテレビ放送映像信号の帯状領域に表示されるアナログロゴマークの有無を検知するアナログロゴマーク検知手段を備え、このアナログロゴマーク検知手段は、アナログロゴマークを検知している間、重ね合成処理許可信号を字幕合成装置に送信するように構成し、検知していない間、重ね合成処理許可信号の送信を中止するように構成する。【選択図】図１
0003157822.tif 000002
【実用新案登録請求の範囲】
【請求項１】
上下に黒色の帯状領域が設けられるレターボックス形式のアナログテレビ放送映像信号の、上側若しくは下側の前記帯状領域に文字映像信号を重ね合成する字幕合成装置に設けられ、前記文字映像信号の重ね合成を行うか否かを制御する字幕合成制御装置であって、前記アナログテレビ放送映像信号の前記帯状領域に表示されるアナログ放送終了を告知するアナログロゴマークの有無を検知するアナログロゴマーク検知手段を備え、このアナログロゴマーク検知手段は、前記アナログロゴマークを検知している間、前記文字映像信号の重ね合成処理を許可する重ね合成処理許可信号を前記字幕合成装置に送信するように構成し、前記アナログロゴマークを検知していない間、前記重ね合成処理許可信号の送信を中止するように構成したことを特徴とする字幕合成制御装置。
【請求項２】
前記アナログロゴマーク検知手段は、前記アナログテレビ放送映像信号の前記帯状領域にして前記アナログロゴマークの少なくとも一部が表示される領域に黒色以外の信号が含まれているか否かを検出して黒色以外の信号を検出した場合にはアナログロゴマーク有りと判定し、黒色以外の信号を検出しない場合にはアナログロゴマーク無しと判定する検出判定部を有することを特徴とする請求項１記載の字幕合成制御装置。
【請求項３】
前記アナログテレビ放送映像信号の輝度信号を２値化することで黒色以外の信号が含まれているか否かを検出するように前記検出判定部を構成したことを特徴とする請求項２記載の字幕合成制御装置。
【請求項４】
上下に黒色の帯状領域が設けられるレターボックス形式のアナログテレビ放送映像信号の、上側若しくは下側の前記帯状領域に文字映像信号を重ね合成する字幕合成手段と、前記アナログテレビ放送映像信号の前記帯状領域に表示されるアナログ放送終了を告知するアナログロゴマークの有無を検知するアナログロゴマーク検知手段とを備え、このアナログロゴマーク検知手段は、前記アナログロゴマークを検知している間、前記文字映像信号の重ね合成処理を許可する重ね合成処理許可信号を前記字幕合成手段に送信するように構成し、前記アナログロゴマークを検知していない間、前記重ね合成処理許可信号の送信を中止するように構成したことを特徴とする字幕合成装置。
【請求項５】
前記アナログロゴマーク検知手段は、前記アナログテレビ放送映像信号の前記帯状領域にして前記アナログロゴマークの少なくとも一部が表示される領域に黒色以外の信号が含まれているか否かを検出して黒色以外の信号を検出した場合にはアナログロゴマーク有りと判定し、黒色以外の信号を検出しない場合にはアナログロゴマーク無しと判定する検出判定部を有することを特徴とする請求項４記載の字幕合成装置。
【請求項６】
前記アナログテレビ放送映像信号の輝度信号を２値化することで黒色以外の信号が含まれているか否かを検出するように前記検出判定部を構成したことを特徴とする請求項５記載の字幕合成装置。
【請求項７】
前記アナログテレビ放送映像信号の内容とは無関係な文字映像信号が記憶される記憶手段を備え、前記アナログテレビ放送映像信号にこのアナログテレビ放送映像信号とは無関係な文字映像信号を重ね合成するように前記字幕合成手段を構成したことを特徴とする請求項４〜６のいずれか１項に記載の字幕合成装置。
【考案の詳細な説明】
【技術分野】
【０００１】
本考案は、字幕合成制御装置並びに字幕合成装置に関するものである。
【背景技術】
【０００２】
上下に画像が表示されない黒色の帯状領域が設けられるレターボックス形式の映像信号の、当該帯状領域に文字映像信号を重ね合成する技術がある（特許文献１）。
【０００３】
この特許文献１に開示される技術は、ＤＶＤやテレビ放送映像等に含まれる字幕を見易くするために上記帯状領域に当該字幕と同内容の字幕を表示するものである。
【先行技術文献】
【特許文献】
【０００４】
【特許文献１】特開２００４−１９４１３１号公報
【考案の概要】
【考案が解決しようとする課題】
【０００５】
ところで、例えばテレビ放送映像（テレビ番組）をテレビ画面に表示するに際し、上記特許文献１のように映像信号に含まれる字幕を上記帯状領域に表示させる場合には、本編中にのみ字幕が重ね表示されＣＭ中には字幕が表示されることはなく、本編とＣＭとを区別する必要はないが、例えばテレビ番組の内容と無関係な字幕を表示する場合には、ＣＭ中に字幕を表示することはできないため、ＣＭ中に字幕の表示を中断させるためにテレビ番組の本編とＣＭとを区別する必要が生じる。
【０００６】
本考案は、上述のような現状に鑑み、アナログテレビ放送からデジタルテレビ放送への移行期に全てのアナログテレビ画面の右上隅部に表示されるアナログ放送終了を告知するアナログロゴマークに着眼し、このマークの有無を検知することで、簡易な手段でテレビ番組の本編とＣＭとを区別して本編中にのみ字幕を重ね表示できるようにしたもので、アナログテレビ放送映像信号の内容とは無関係な字幕を気軽に既存のアナログテレビ画面に表示することが可能な極めて実用性に優れた字幕合成制御装置並びに字幕合成装置を提供するものである。
【課題を解決するための手段】
【０００７】
添付図面を参照して本考案の要旨を説明する。
【０００８】
上下に黒色の帯状領域が設けられるレターボックス形式のアナログテレビ放送映像信号の、上側若しくは下側の前記帯状領域に文字映像信号を重ね合成する字幕合成装置に設けられ、前記文字映像信号の重ね合成を行うか否かを制御する字幕合成制御装置であって、前記アナログテレビ放送映像信号の前記帯状領域に表示されるアナログ放送終了を告知するアナログロゴマークの有無を検知するアナログロゴマーク検知手段を備え、このアナログロゴマーク検知手段は、前記アナログロゴマークを検知している間、前記文字映像信号の重ね合成処理を許可する重ね合成処理許可信号を前記字幕合成装置に送信するように構成し、前記アナログロゴマークを検知していない間、前記重ね合成処理許可信号の送信を中止するように構成したことを特徴とする字幕合成制御装置に係るものである。
【０００９】
また、前記アナログロゴマーク検知手段は、前記アナログテレビ放送映像信号の前記帯状領域にして前記アナログロゴマークの少なくとも一部が表示される領域に黒色以外の信号が含まれているか否かを検出して黒色以外の信号を検出した場合にはアナログロゴマーク有りと判定し、黒色以外の信号を検出しない場合にはアナログロゴマーク無しと判定する検出判定部を有することを特徴とする請求項１記載の字幕合成制御装置に係るものである。
【００１０】
また、前記アナログテレビ放送映像信号の輝度信号を２値化することで黒色以外の信号が含まれているか否かを検出するように前記検出判定部を構成したことを特徴とする請求項２記載の字幕合成制御装置に係るものである。
【００１１】
また、上下に黒色の帯状領域が設けられるレターボックス形式のアナログテレビ放送映像信号の、上側若しくは下側の前記帯状領域に文字映像信号を重ね合成する字幕合成手段と、前記アナログテレビ放送映像信号の前記帯状領域に表示されるアナログ放送終了を告知するアナログロゴマークの有無を検知するアナログロゴマーク検知手段とを備え、このアナログロゴマーク検知手段は、前記アナログロゴマークを検知している間、前記文字映像信号の重ね合成処理を許可する重ね合成処理許可信号を前記字幕合成手段に送信するように構成し、前記アナログロゴマークを検知していない間、前記重ね合成処理許可信号の送信を中止するように構成したことを特徴とする字幕合成装置に係るものである。
【００１２】
また、前記アナログロゴマーク検知手段は、前記アナログテレビ放送映像信号の前記帯状領域にして前記アナログロゴマークの少なくとも一部が表示される領域に黒色以外の信号が含まれているか否かを検出して黒色以外の信号を検出した場合にはアナログロゴマーク有りと判定し、黒色以外の信号を検出しない場合にはアナログロゴマーク無しと判定する検出判定部を有することを特徴とする請求項４記載の字幕合成装置に係るものである。
【００１３】
また、前記アナログテレビ放送映像信号の輝度信号を２値化することで黒色以外の信号が含まれているか否かを検出するように前記検出判定部を構成したことを特徴とする請求項５記載の字幕合成装置に係るものである。
【００１４】
また、前記アナログテレビ放送映像信号の内容とは無関係な文字映像信号が記憶される記憶手段を備え、前記アナログテレビ放送映像信号にこのアナログテレビ放送映像信号とは無関係な文字映像信号を重ね合成するように前記字幕合成手段を構成したことを特徴とする請求項４〜６のいずれか１項に記載の字幕合成装置に係るものである。
【考案の効果】
【００１５】
本考案は上述のように構成したから、アナログテレビ放送映像信号の内容とは無関係な字幕を気軽に既存のアナログテレビ画面に表示することが可能な極めて実用性に優れた字幕合成制御装置並びに字幕合成装置となる。
【図面の簡単な説明】
【００１６】
【図１】本実施例の構成概略説明図である。
【考案を実施するための形態】
【００１７】
好適と考える本考案の実施形態を、図面に基づいて本考案の作用を示して簡単に説明する。
【００１８】
字幕合成装置（所謂公知のスーパーインポーズ合成を行うスーパーインポーズ回路）を用いてレターボックス形式のアナログテレビ放送映像信号の上側若しくは下側（または双方）の帯状領域に文字映像信号（字幕）を重ね合成し、字幕をアナログテレビ画面に（中央のメイン映像に重ならないように）表示する。
【００１９】
この際、字幕合成装置は、重ね合成処理を許可する重ね合成処理許可信号を受信している間は継続して字幕の重ね合成を行うが、アナログロゴマーク検知手段が、放送されるアナログテレビ放送映像信号中からアナログロゴマークを検知しない状態になると、前記重ね合成処理許可信号の送信が中止され、再度アナログロゴマークを検知するまで継続して字幕の重ね合成を中止する。
【００２０】
ここで、アナログテレビ放送映像信号のアナログロゴマークは、テレビ番組の本編中にのみ表示され、ＣＭ中には表示されない。従って、字幕合成装置はテレビ番組の本編中では継続して字幕の重ね合成を行い、ＣＭ中では継続して字幕の重ね合成を中止することになる。
【００２１】
よって、本考案によれば、字幕はテレビ番組の本編中にしかアナログテレビ画面に表示されず、ＣＭ中に字幕が表示されることを簡易な構成で確実に阻止できることになり、例えば、デジタルテレビへの移行が済んでいない病院やホテル・旅館や各種施設の既存のアナログテレビを用いて情報案内や館内放送、呼び出し等を安価に行えるものとなる。
【実施例】
【００２２】
本考案の具体的な実施例について図面に基づいて説明する。
【００２３】
本実施例は、上下に画像が表示されない黒色の帯状領域が設けられるレターボックス形式のアナログテレビ放送映像信号の、上側若しくは下側の前記帯状領域に文字映像信号を重ね合成する字幕合成手段と、前記アナログテレビ放送映像信号の前記帯状領域に表示されるアナログ放送終了を告知するアナログロゴマークの有無を検知するアナログロゴマーク検知手段とを備え、このアナログロゴマーク検知手段は、前記アナログロゴマークを検知している間、前記文字映像信号の重ね合成処理を許可する重ね合成処理許可信号を前記字幕合成手段に送信するように構成し、前記アナログロゴマークを検知していない間、前記重ね合成処理許可信号の送信を中止するように構成したものである。
【００２４】
具体的には、本実施例は図１に図示したように、地上アナログテレビに設けられるものであって、復調器と、本編レターボックス放送判定部（アナログロゴマーク検知手段）と、スーパーインポーズ回路部（字幕合成手段）とで構成している。
【００２５】
復調器は、アンテナで受信した高周波（ＲＦ）の地上アナログテレビ放送波を中間波（ＩＦ）信号に変換するＲＦ／ＩＦ変換回路と、ＩＦ信号を音声ＩＦ信号と映像ＩＦ信号とに分離する映像／音声分離回路と、映像ＩＦ信号をビデオ信号に復調する映像復調回路とを有している。
【００２６】
アナログロゴマーク検知手段としての本編レターボックス放送判定部は、前記ビデオ信号から輝度信号を分離する輝度信号分離回路と、この輝度信号から映像２値化信号を取り出す映像２値化回路及び同期信号を取り出す同期分離回路と、同期信号から水平座標及び垂直座標を生成する座標生成回路と、この水平座標及び垂直座標を用いて各領域（レターボックス形式のアナログテレビ放送映像信号の上側の帯状領域のうちアナログロゴマークが表示されない領域を領域Ａ、上側の帯状領域のうちアナログロゴマークが表示される領域を領域Ｂ、下側の帯状領域を領域Ｃ、中央のメイン映像が表示される領域を領域Ｄとする）を指定する各領域信号を発生させる領域信号発生部と、前記映像２値化信号にして前記各領域信号で指定される領域内が黒のみか黒以外の成分が入っているかを検出する検出部と、領域Ａにおいて黒、領域Ｂにおいて黒以外、領域Ｃにおいて黒、領域Ｄにおいて黒以外を検出した場合にはアナログロゴマーク有りと判定して本編レターボックス放送判定信号（重ね合成処理許可信号）をスーパーインポーズ回路に出力し、領域Ｂにおいて黒を検出した場合にはアナログロゴマーク無しと判定して本編レターボックス放送判定信号を出力しない重ね合成処理許可信号出力判定部とを有している。
【００２７】
字幕合成手段としてのスーパーインポーズ回路は、前記本編レターボックス放送判定信号が入力された場合にのみ、変調器へとスーパー文字発生回路により作成したスーパー文字信号（文字映像信号）を出力する文字映像信号重ね合成判定部を有している以外は、公知のスーパーインポーズ回路に用いられている構成と同様である。
【００２８】
尚、図示していないが、スーパー文字データ（文字映像データ）は別途ハードディスク等の記憶手段に記憶されている。また、本実施例においては、特許文献１のように放送波中に含まれる字幕内容をそのまま使用せず、文字映像データはアナログテレビ放送映像信号の内容とは無関係なものを採用する。
【００２９】
本実施例は上述のように構成したから、アナログテレビ放送映像信号の内容とは無関係な字幕を気軽に既存のアナログテレビ画面に表示することが可能な極めて実用性に優れたものとなる。
【図１】
0003157822.tif 000003